(57)【要約】  本発明は、ソーラーパネル支持レール（１８）を、底面側で固定されるスタンド成形材（１６）に取り付けるための調節金具（２２）であって、脚部セグメント（２４）であって、第１の組付けフランジ（３０）と、第１の組付けフランジ（３０）の一方の側で組付けフランジ（３０）から延在しており、脚部セグメント（２４）をスタンド成形材（１６）に取り付けるために用いられる取付区分（３２）とを有している脚部セグメント（２４）と、頭部セグメント（２６）であって、頭部セグメント（２６）を脚部セグメント（２４）の第１の組付けフランジ（３０）に当て付け、取り付けるための第２の組付けフランジ（４６）を有しており、支持レール（１８）内に部分的に導入可能であり、互いに対向して配置された２つの側壁（５４）にそれぞれ１つの長孔（５８）を有している頭部セグメント（２６）と、頭部セグメント（２６）の両側壁（５４）の間に配置されており、様々な係止位置で頭部セグメント（２６）に摺動不能にロック可能である、調節エレメント（２８）と、を含む調節金具（２２）に関する。本発明はさらに、複数のこのような調節金具（２２）を備えた支持システム（１４）に関する。
2021536208.tif 000002
【特許請求の範囲】
【請求項１】
ソーラーパネル支持レール（１８）を、底面側で固定されるスタンド成形材（１６）に取り付けるための調節金具（２２）であって、
脚部セグメント（２４）であって、第１の組付けフランジ（３０）と、前記第１の組付けフランジ（３０）の一方の側で前記組付けフランジ（３０）から延在しており、前記脚部セグメント（２４）を前記スタンド成形材（１６）に取り付けるために用いられる取付区分（３２）とを有している脚部セグメント（２４）と、
頭部セグメント（２６）であって、前記頭部セグメントは、前記頭部セグメント（２６）を前記脚部セグメント（２４）の前記第１の組付けフランジ（３０）に当て付け、取り付けるための第２の組付けフランジ（４６）を有しており、前記支持レール（１８）内に部分的に導入可能であり、前記頭部セグメントは、互いに対向して配置された２つの側壁（５４）にそれぞれ１つの長孔（５８）を有している頭部セグメント（２６）と、
調節エレメント（２８）であって、前記頭部セグメント（２６）の前記両側壁（５４）の間に配置されており、前記調節エレメント（２８）の両端面（６６）には第１の係止手段（６８）が設けられており、前記第１の係止手段は、前記調節金具（２２）が組付けられていない状態で、前記調節エレメント（２８）が、前記頭部セグメント（２６）の長手方向軸線（５２）の方向で、前記両側壁（５４）に対して相対的に様々な係止位置へと移動可能であるように、前記頭部セグメント（２６）の前記両側壁（５４）の内面（７２）における第２の係止手段（７０）と協働しており、前記調節エレメント（２８）には、前記頭部セグメント（２６）の前記長孔（５８）に整列して配置された、固定手段（４２）のための孔（６０）が設けられており、前記固定手段によって前記頭部セグメント（２６）を前記支持レール（１８）に固定可能であって、前記調節エレメント（２８）を、前記側壁（５４）の圧縮により、各係止位置で前記頭部セグメント（２６）に摺動不能にロック可能である、調節エレメント（２８）と、
を含む、調節金具（２２）。
【請求項２】
前記第１の係止手段（６８）および／または前記第２の係止手段（７０）とはそれぞれ、好適には前記調節エレメント（２８）の全幅（ｂ）にわたって延在する波形溝を含んでいる、請求項１記載の調節金具（２２）。
【請求項３】
前記波形溝は、方形の、特に正方形の横断面形状を有している、請求項２記載の調節金具（２２）。
【請求項４】
前記第１の組付けフランジ（３０）と前記第２の組付けフランジ（４６）とはそれぞれ、前記頭部セグメント（２６）を前記脚部セグメント（２４）に接続するための固定手段（４２）のための固定用切欠き（４８，５０）を有している、請求項１から３までのいずれか１項記載の調節金具（２２）。
【請求項５】
前記第１の組付けフランジ（３０）の前記固定用切欠き（４８，５０）および／または前記第２の組付けフランジ（４６）の前記固定用切欠き（４８，５０）は、それぞれ長孔として形成されている、請求項４記載の調節金具（２２）。
【請求項６】
前記脚部セグメント（２４）の前記取付区分（３２）は、前記第１の組付けフランジ（３０）の一方の側で前記第１の組付けフランジ（３０）から延在している、請求項１から５までのいずれか１項記載の調節金具（２２）。
【請求項７】
前記取付区分（３２）は、その自由端部領域（３８）に、好適には前記第１の組付けフランジ（３０）の全幅（Ｂ）にわたって延在する、固定手段（４２）のための差込開口（４０）を有している、請求項６記載の調節金具（２２）。
【請求項８】
前記取付区分（３２）は、前記第１の組付けフランジ（３０）に配置されている２つの脚（３４）を有しており、前記２つの脚は、前記取付区分（３２）の前記自由端部領域（３８）を形成しながら互いに融合している、請求項６または７記載の調節金具（２２）。
【請求項９】
前記頭部セグメント（２６）の前記両側壁（５４）は、前記第２の組付けフランジ（４６）から離間して配置された端壁（５６）を介して互いに接続されている、請求項１から８までのいずれか１項記載の調節金具（２２）。
【請求項１０】
前記頭部セグメント（２６）は一体に形成されている、請求項１から９までのいずれか１項記載の調節金具（２２）。
【請求項１１】
前記調節金具（２２）は全体が、金属、特に鋼またはアルミニウムから成っている、請求項１から１０までのいずれか１項記載の調節金具（２２）。
【請求項１２】
前記調節エレメント（２８）は、前記孔（６０）をそれぞれ部分的に周方向で画定する基体（７６）と閉鎖エレメント（７８）とを含んでいる、請求項１から１１までのいずれか１項記載の調節金具（２２）。
【請求項１３】
前記調節エレメント（２８）の前記基体（７６）は、その両端面（６６）に、片側で開かれたそれぞれ１つのスリット（８０）を有している、請求項１２記載の調節金具（２２）。
【請求項１４】
前記閉鎖エレメント（７８）は前記基体（７６）に差込み可能であって、好適には前記基体（７６）に係止可能である、請求項１２または１３記載の調節金具（２２）。
【請求項１５】
１つまたは複数のソーラーパネル（１２）用の支持システム（１４）であって、
−互いに間隔を置いて配置されて底面側で固定される複数のスタンド成形材（１６）と、
−前記スタンド成形材（１６）のうちの少なくとも２つに、請求項１から１４までのいずれか１項記載の調節金具（２２）を介して固定されている少なくとも１つの支持レール（１８）と、
を含む、支持システム（１４）。
【発明の詳細な説明】
【技術分野】
【０００１】
太陽電池モジュールまたは太陽熱収集器のようなソーラーパネルは、屋根または屋外の土地に設置する際、通常、互いに平行に配置された成形材または支持レール上に取り付けられる。支持レールは、底面側で固定されるスタンド成形材に、それぞれ金具によって取り付けられる。このようなスタンド成形材は、地面に直接打ち込まれる、例えばいわゆる打ち込み成形材として形成されていてよい。スタンド成形材は、ならびに支持レールも、コスト的な理由から通常、Ｕ字型もしくは帽子型の横断面形状を有している。スタンド成形材および支持レールは、これにより安価な圧延成形材として提供され得る。
【０００２】
実際に、スタンド成形材を固定する場合には、特にスタンド成形材を地面に打ち込む場合には、通常、スタンド成形材の自由端部の正確に直線的な配置ならびにスタンド成形材の正確に鉛直な向きも保証することはできない。これは特に、平坦ではない土地もしくは扱いにくい地質においては頻繁なケースである。これにより、従来の金具エレメントによってスタンド成形材に（直線状の）支持レールを端部側で取り付けるのは困難である。
【０００３】
そこで本発明の課題は、ソーラーパネル支持体を保持するために設けられたスタンド成形材の自由端部が、正確に直線状に配置されていない場合であっても、成形材レールまたは支持レールをスタンド成形材に簡単に取り付けることができる調節金具を提供することである。
【０００４】
この課題は、請求項１に記載の特徴を備えた調節金具により解決される。本発明による支持システムは、請求項１５に記載されている。本発明の好適な別の構成は、従属請求項ならびに詳細な説明の対象である。
【０００５】
本発明による調節金具は、底面側で固定されたスタンド成形材に、成形材レールまたは支持レールを取り付けるために用いられる。支持レールは、好適にはＵ字型の横断面形状を有している。スタンド成形材とはこの場合、特に金属から成っていてよい、底面側で固定すべき（Ｕ字型の）成形ロッドもしくは成形管を意味する。調節金具は、脚部セグメントであって、第１の組付けフランジと、この組付けフランジの一方の側でこの組付けフランジから延在しており、脚部セグメントをスタンド成形材に取り付けるために用いられる取付区分とを有している脚部セグメントを含む。調節金具は、頭部セグメントを有していて、この頭部セグメントは、この頭部セグメントを、脚部セグメントの第１の組付けフランジに当て付け、取り付けるための第２の組付けフランジを有している。頭部セグメントは、支持レール内に部分的に導入するために設けられており、互いに対向して配置されている２つの側壁には、長孔の形態の貫通切欠きが設けられている。両長孔は、頭部セグメントの各側壁に、それぞれ頭部セグメントの長手方向軸線に対して軸方向で延在している。
【０００６】
頭部セグメントの両側壁の間には調節エレメントが配置されている。調節エレメントの、互いに反対側を向いた両端面には第１の係止手段が設けられており、この第１の係止手段は、調節金具が組付けられていない状態で、調節エレメントが、頭部セグメントの長手方向軸線の方向で、頭部セグメントに対して相対的に様々な係止位置へと移動可能であるように、頭部セグメントの両側壁の内面における第２の係止手段と協働しており、調節エレメントには、頭部セグメントの長孔に整列して配置された、固定手段のための貫通切欠きが設けられており、この固定手段によって頭部セグメントを支持レールに固定可能であって、調節エレメントを、頭部セグメントの側壁の圧縮により、すなわち両側壁の少なくとも部分的な接近により、各係止位置で頭部セグメントに対して相対的に摺動不能に、頭部セグメントにロック可能である、すなわち固定可能である。この調節エレメントは、調節金具の組付け状態で、支持レール、頭部セグメントの長孔−貫通切欠き、および調節エレメントを貫通して延在する固定手段を保持するために用いられる。この固定手段は、特にねじとして、またはねじボルトとして形成されていてよい。
【０００７】
調節金具は一方では、自由端部が正確には直線状に並んで位置するようには配置されていない、底面側で固定された複数のスタンド成形材に支持レールを組付ける場合に、ほぼ無段階的かつ簡単な高さ補償を可能にする。同時に、調節エレメントおよび頭部セグメントの互いに係合する係止手段によって、特に負荷に対して安定的な、調節金具への支持レールの取付が可能である。調節エレメントはさらに、固定手段を、支持レールの各負荷受容点の間で長尺で支持することができ、これにより、ソーラーパネルにしばしばかけられる風荷重の際等に、固定手段への過負荷に対して確実に対抗することができる。脚部セグメントと頭部セグメントとを備えた調節金具の、実質的に２つの部分から成る構造により、さらなる組付け誤差を補償することができる。調節金具は、考えられ得る簡単な構造を有しており、特に大量生産で安価に提供することができる。
【０００８】
本発明の好適なさらなる構成によれば、第１の係止手段および／または第２の係止手段はそれぞれ波形溝を有している。波形溝とは、ウェブ状の成形突起を意味する。調節エレメントの波形溝は、ならびに好適には頭部セグメントの両側壁の波形溝も、好適には、調節エレメントの全幅にわたってもしくは端面にわたってそれぞれ延在している。これにより、両構成部分の接触面領域において大面積での力の導入が行われる。波形溝は、それぞれ一様の溝長さｌと溝高さｈとを有していてよい。したがって、波形溝は例えばそれぞれ１ｍｍの溝長さと１ｍｍの溝高さとを有していてよい。極めて特に好適には、調節エレメントの波形溝は、および頭部セグメントの両側壁の内面の波形溝も、頭部セグメントの長手方向軸線の方向で規則的に互いに間隔を置いて位置している。例えば、直接隣接して配置された波形溝の間の間隔は１．５ｍｍであってよい。上記間隔は、好適には溝高さよりも少なくとも１．３倍だけ大きい。
【０００９】
第１の組付けフランジと第２の組付けフランジとは、本発明の別の構成によると、少なくとも部分的に頭部セグメントの長手方向軸線の方向で互いに整列して配置されている固定用切欠きをそれぞれ有しており、これらの固定用切欠きにはそれぞれ、特にねじの形態の固定手段が差し込まれる。固定手段によって、頭部セグメントと脚部セグメントとを取外し可能に互いに固定することができる。
【００１０】
第１の組付けフランジの固定用切欠きおよび／または第２の組付けフランジの固定用切欠きがそれぞれ長孔として形成されているならば、頭部セグメントと脚部セグメントとは、一軸方向または二軸方向で、様々な相対位置に配置することができる。これによりさらなる調節可能性が得られ、これによりスタンド成形材への支持レールの組付けは簡単になる。
【００１１】
脚部セグメントの取付区分は、本発明によれば好適には、第１の組付けフランジの一方の側でこの組付けフランジから延在している。特に好適には、取付区分は、その自由端部に、固定手段のための、好適には唯１つ差込開口を有している。これにより、一方では、脚部区分をスタンド成形材に枢着的に取り付けることができる。これにより、調節金具全体を、スタンド成形材に対して相対的に様々な旋回位置で、スタンド成形材に取り付けることができ、これによりスタンド成形材の自由端部の位置誤差を補償することができる。差込開口が、第１の組付けプレートの全幅にわたって延在しているならば、脚部セグメントへの特に大面積な負荷の導入を行うことができる。これにより取付区分への過負荷に対抗することができる。
【００１２】
調節金具の特に安価な大量生産に関しては、取付区分が２つの脚を有していてよく、これらの脚は、組付けフランジに接触していて、自由端部区分を形成しながら互いに集積する。脚区分はこの場合、特に一体に形成することができる。好適には脚区分は、鋳造部材として、またはＣＮＣフライス加工部品として、好適には金属から形成されている。
【００１３】
調節金具の頭部セグメントの特に大きな負荷受容の可能性は、本発明によれば、頭部セグメントの両側壁が、第２の組付けフランジから離間した背面区分（＝端壁）を介して互いに接続されていることにより、得ることができる。このような構成はさらに、製造技術的な利点も提供する。したがって、頭部セグメントは例えば、連続鋳造成形材のまたは押出成形材の一区分により形成することができる。
【００１４】
コスト的な観点では、調節金具の耐久性に関して、頭部セグメントを本発明によれば一体的に形成することができる。
【００１５】
調節金具は好適には全体として、金属、特に鋼またはアルミニウムから成っている。極めて特に好適には、頭部部材および脚部セグメントは両方とも、溶接接合部を有していない。これにより、調節金具の特に安価な製造が可能である。
【００１６】
調節エレメントは、孔をそれぞれ部分的に周方向で画定する基体と閉鎖エレメントとを含んでいてもよい。換言すると、孔は、その周囲の一部の部分領域にわたって基体によって画定され、その孔の周囲の別の部分領域では、特に残りの部分領域では閉鎖エレメントによって画定される。基体と閉鎖エレメントとは、基本的に互いに別個の構成部分である。調節エレメントは、したがって、複数の部分から、特に２つの部分から形成されている。基体と閉鎖エレメントとは好適には、頭部セグメントに固定手段が配置された状態で、基体と閉鎖エレメントとを、頭部セグメントの側壁の間に挿入することができるように形成されている。したがって、基体と閉鎖エレメントとは好適には、固定手段を取り外すことなく、互いに分離することができ、かつ頭部セグメントから分離することができる。これにより、調節金具の組付けと調節とを簡単にすることができる。特に、固定手段を、場合によっては支持レールを、頭部セグメントから外さずに、調節金具の機能的高さを変更することができる。
【００１７】
調節エレメントの基体は、その両端面に、片側で開かれたそれぞれ１つのスリットを有していてよい。この場合、各スリットの閉じられた端部は、それぞれ孔の一部を周方向で画定することができる。片側で開かれたスリットにより、固定手段を閉じられた端部の領域に配置するように、基体を、固定手段に差込むことができる。
【００１８】
特に好適には、閉鎖エレメントを基体に差し込むことができる。閉鎖エレメントは、特に、側壁のスリット内に差込み可能であってよい。閉鎖エレメントを基体に差し込むことにより、調節エレメントが接合され、固定手段を孔内に配置することができる。好適には、閉鎖エレメントは基体に係止可能である。これにより、例えば調節エレメントを固定手段によって頭部セグメントにロックする前に、閉鎖エレメントが基体から誤って外れてしまうことを回避することができる。同時に、解体または高さ調節のために、係止を簡単に解除することもできる。端面におけるスリットは凹部を有していてよく、閉鎖エレメントは対応する隆起部を有していてよい。隆起部と凹部との協働により、閉鎖エレメントを基体に形状接続的に保持することができ、すなわち係止することができる。代替的にまたは付加的に、閉鎖エレメントは基体にクランプされてもよく、すなわち摩擦接続的に保持されてもよい。
【００１９】
１つまたは複数のソーラーパネルのための本発明による支持システムは、
−互いに間隔を置いて配置される、地面側で固定すべきまたは固定された少なくとも２つのスタンド成形材と、
−各スタンド成形材に、それぞれ上述した調節金具を介して取り付けられている少なくとも１つの支持レールと、を含んでおり、各調節金具の脚部セグメントの取付区分は、端面側でスタンド成形材内へと延在しており、差込開口に貫通係合する固定手段を介してスタンド成形材に固定されている。
【００２０】
頭部セグメントは、支持レールの長手方向延在に対して横方向で、支持レール内に部分的に延在しており、支持成形材と、頭部セグメントの両側壁と、調節エレメントとを貫通する固定手段を介して、頭部セグメントの両側壁間で軸方向摺動不能に頭部セグメントに調節エレメントが緊締もしくは圧縮された状態で、支持成形材に固定されている。
【００２１】
本発明のさらなる利点は、詳細な説明および図面により明らかである。図示し、説明した実施形態は、限定的な列記として理解されるものではなく、本発明の説明のために、むしろ一例として性格を有している。
【図面の簡単な説明】
【００２２】
【図１】ソーラーパネルの支持システムを示す側面図である。
【図２】図１の支持システムの細部を示す図である。
【図３】図２の支持システムを、調節金具を示す部分の分解図で示す図である。
【図４】組付けられていない状態で調節金具を示す斜視図である。
【図５】部分的に組付けられた状態で図４の調節金具を示す図である。
【図６】調節金具の調節エレメントの波形溝が設けられた端面を示す図である。
【図７】図６の調節エレメントの縦断面を部分的に示す図である。
【図８】調節金具の選択的な実施形態を示す斜視図である。
【図９】図８の調節金具を示す正面図である。
【図１０】調節金具の別の選択的な実施形態を示す斜視図である。
【図１１】図１０の調節金具を示す正面図である。
【図１２】第４の実施形態の調節金具を、スタンド成形材に組付けられた状態で示す斜視図である。
【図１３】図１２の調節金具を示す分解図である。
【図１４ａ】図１２および図１３の調節金具の調節エレメントの基体を示す斜視図である。
【図１４ｂ】図１４ａの基体を示す側面図である。
【図１５ａ】図１２および図１３の調節金具の調節エレメントの閉鎖エレメントを示す斜視図である。
【図１５ｂ】図１５ａの閉鎖エレメントを示す側面図である。
【００２３】
図１には、ソーラーパネル装置１０が示されており、このソーラーパネル装置は、支持システム１４上に配置されている複数のソーラーパネル１２を備えている。ソーラーパネル１２は、太陽電池モジュールとしてまたは太陽熱収集器として構成されていてよい。支持システム１４は、底面側で固定される複数のスタンド成形材１６を含む。スタンド成形材１６は、地面に打ち込まれて、地面にコンクリートで固定されてよい、または別の方法で、底面側で固定されてよい。それぞれ少なくとも２つのスタンド成形材１６が、支持レール１８の支持のために用いられ、支持レール１８上にはソーラーパネル１２が、この場合、それぞれ少なくとも２つの支持レール１８上に載置された付加的な横方向成形材２０を介して保持されている。
【００２４】
スタンド成形材１６と支持レール１８とは、図２および図３によれば、それぞれＵ字型の横断面もしくはほぼＵ字型の横断面を有している。スタンド成形材１６および支持レール１８は、特に帽子型成形材として形成されていてよい。支持レール１８は、水平方向Ｈに対してそれぞれ傾けられて配置されていて、水平方向Ｈに対して、例えば２０°の設置角度αを成して立て掛けられてもしくは傾けられて延在するように配置されていてよい（図１）。角度αは実際には、ソーラーパネル１２がそれぞれ予め規定された形式で太陽に対して方向付けられるように選択されているものと理解されたい。
【００２５】
支持レール１８を各スタンド成形材１６に取り付けるために、それぞれ１つの調節金具２２が用いられる。調節金具２２は、図３〜図５に示したように複数の部分から構成されている。調節金具２２は、図３に示した支持システム１４の分解図によれば、スタンド成形材１６に取り付けるべき脚部セグメント２４、支持レール１８に取り付けるべき頭部セグメント２６、ならびに調節エレメント２８を含む。
【００２６】
脚部セグメント２４は、第１の組付けフランジ３０と、この組付けフランジ３０の一方の側で組付けフランジ３０から延在している取付区分３２とを有している。取付区分３２は、互いに離間されて配置された２つの脚３４を有していてよく、これらの脚は第１の組付けフランジ３０に配置されていて、取付区分３２の自由端部３６の方向で収束していて、互いに融合して、取付区分３２の１つの自由端部領域３８を成している。取付区分３２の自由端部領域３８には、固定手段４２、この場合ねじのための唯１つの差込開口４０が設けられている。ねじを固定するためにナット４４が用いられる。差込開口４０（図４）は、好適には、脚部セグメント２４の第１の組付けフランジ３０の全幅Ｂにわたって延在している。唯１つの差込開口４０によって、脚部セグメント２４を枢着的に、すなわち旋回軸線Ｓを中心として旋回可能に、スタンド成形材１６（図１参照）に取り付けることができる。調節金具２２の脚部セグメント２４は、一体的に形成されていて、特に金属、好適には鋼、またはアルミニウムから成っていてよい。
【００２７】
頭部セグメント２６は、この頭部セグメント２６を、脚部セグメント２４の第１の組付けフランジ３０に当て付け、取り付けるための第２の組付けフランジ４６を有している。両組付けフランジ３０，４６は、それぞれ１つの固定手段４２、この場合ねじを受容するための固定用切欠き４８，５０をそれぞれ備えて構成されている。脚部セグメント２４および／または頭部セグメント２６の組付けフランジ３０，４６の固定用切欠き４８，５０は、好適にはそれぞれ長孔として形成されており、頭部セグメント２６および脚部セグメント２４を、互いに対して様々な摺動位置で互いに固定することができる。これにより、支持レール１８に対して相対的な、各スタンド成形材１６（図１）の位置誤差を補償することができる。
【００２８】
頭部セグメント２６は、長手方向軸線５２の方向で部分的に、それぞれ配属される支持レール１８（図３）内に、支持レールの長手方向延在に対して横方向に導入可能である。
【００２９】
頭部セグメント２６はこの場合、互いに対向して配置された２つの側壁５４を有している。これらの側壁５４は、第２の組付けフランジ４６から延びており、互いに平行に延在して第２の組付けフランジ４６に配置されている。これらの側壁５４はこの場合、第２の組付けフランジ４６から離間している、頭部セグメント２６の端壁５６を介して互いに接続されている。頭部セグメント２６の両側壁５４にはそれぞれ長孔５８が設けられている。頭部セグメント２６は、一体的に形成されていて、特に金属、好適には鋼、またはアルミニウムから成っていてよい。
【００３０】
調節エレメント２８は、頭部セグメント２６の両側壁５４の間に配置されている。調節エレメント２８には孔６０が設けられている。孔６０は、頭部セグメント２６を各支持レール１８に固定することができる固定手段４２、この場合ねじを受容するために用いられる。孔６０は、調節エレメント２８の、符号６２で示された本体軸線に沿って調節エレメント２８を貫通して延在している。頭部セグメント２６の両側壁５４の長孔５８は、調節エレメント２８の本体軸線６２の方向で、孔６０に対して整列して配置されていることに注意されたい。できるだけ僅かな材料使用とするために、調節エレメントには図４に示したように付加的に、調節エレメント２８の本体軸線６２に対して横方向に調節エレメント２８を貫通して延在する貫通孔６４が設けられていてよい。
【００３１】
図６には、調節エレメント２８が個別の斜視図で示されている。調節エレメント２８は、互いに反対側を向いた両端面６６に、波形溝の形態の第１の係止手段６８を有している。波形溝は、この場合、調節エレメント２８の全幅ｂ（図４参照）にわたって延在している。第１の係止手段６８は、調節金具２２の組付けられていない状態で、調節エレメント２８が頭部セグメント２６の長手方向軸線５２の方向で、両側壁５４に対して相対的に、様々な係止位置へと動くことができるように、頭部セグメント２６の両側壁５４の内面７２（図５）における第２の係止手段７０と協働する。これにより、調節金具２２は、調節金具２２の脚部セグメント２４の差込開口４０から孔６０の各距離に相当するその機能的高さ７４を、スタンド成形材１６に支持レール１８を取り付けるために適合させることができる。
【００３２】
調節エレメント２８は、頭部セグメント２６を支持レール１８に組付ける際に、ねじボルトとして形成された固定手段４２と対応するナット４４とによって、頭部セグメント２６の長手方向軸線に対して横方向で、すなわち調節エレメント２８の本体軸線６２の方向で、頭部セグメント２６の両側壁５４の間に緊締され得る。これにより、両側で側壁５４に係止係合している調節エレメント２８を、両側壁の間で摺動不能に挟み込むことができ、すなわちその都度の係止位置で、頭部セグメント２６の長手方向軸線５２の方向で摺動不能に頭部セグメント２６にロックすることができる。
【００３３】
図７には調節エレメント２８の一部が縦断面図で示されている。調節エレメント２８の一方の端面６６の第１の係止手段６８を良好に認識することができる。個々の波形溝はそれぞれ一様の溝高さｈと一様の溝長さｌとを有していてよい。溝高さｈと溝長さｌとは特に１ｍｍであってよい。これらの波形溝は好適には互いに一様の間隔を置いて配置されている。溝間隔ａはこの場合、頭部セグメント２６（図５）の側壁５４間における調節エレメント２８のひっかかりを阻止するために、溝高さｈよりも大きく選択されている。調節エレメント２８の第１の係止手段６８と側壁５４の第２の係止手段７０とは、好適には、互いに一致したジオメトリ構造と、一致した寸法とを有している。
【００３４】
上記説明した調節金具２２は、安価に製造することができ、固定されたスタンド成形材への、ソーラーパネル１２用の支持レール１８の全体として簡単な組付けを可能にする。
【００３５】
図８および図９には、調節金具２２の選択的な実施形態が示されている。調節金具２２の構成は、図３〜図５の調節金具２２の構成に実質的に相当する。しかしながら、頭部セグメント２６の側壁５４は、頭部セグメント２６の下面でのみ、第２の組付けフランジ４６を介して接続されており、上面側の端壁（図５：端壁５６参照）を介しては接続されていない。
【００３６】
図１０および図１１には、調節金具２２の別の選択的な実施形態が示されており、その構成は、図８および図９の調節金具２２の構成に実質的に相当する。しかしながら、頭部セグメント２６の両側壁５４は、図８および図９の頭部セグメント２６におけるよりも広く互いに間隔を置いて位置している。
【００３７】
図８および図９の調節金具２２および図１０および図１１の調節金具２２は両者とも、側壁５４の間の領域で先細りする組付けフランジ３０，４６を有しているので、調節金具２２は特に軽量でありながらも安定的に構成されている。
【００３８】
図１２には、調節金具２２の第４の実施形態が、スタンド成形材１６に組付けられた状態で示されている。調節金具２２は、その脚部セグメント２４と頭部セグメント２６とに関して、図１０および図１１の調節金具２２に相当する。しかしながらこの場合、調節金具２２は２つの部分から成る調節エレメント２８を有している。調節エレメント２８は、基体７６と閉鎖エレメント７８とを含んでいる。閉鎖エレメント７８は、基体７６内に差し込まれている。固定手段４２、この場合ねじは、頭部セグメント２６の側壁５４と、調節エレメント２８とを貫通している。
【００３９】
図１３には、図１２の調節金具が分解図で示されている。調節エレメントの基体７６は、この場合、中空の押出成形品として形成されている。基体７６の両端面６６には、片側で開かれたスリット８０が形成されている。スリット８０は、それぞれ端面６６のこの場合ほぼ中央に閉じられた端部８２を有している。閉鎖エレメント７８はこの場合、凹状のフロント部分８４を有している。組付け状態（図１２参照）では、閉鎖エレメント７８は基体７６のスリット８０内に差し込まれる。閉鎖エレメント７８のフロント部分８４は、この場合、スリット８０の閉じられた端部８２に面している。基体７６に設けられたスリット８０の閉じられた端部８２と、閉鎖エレメント７８のフロント部分８４とは一緒に、固定手段４２を貫通させるための１つの孔（図４および図６、それぞれ符号６０参照）を画定する。この場合、孔６０の第１の周方向区分は、スリット８０の閉じられた端部８２によって画定される。孔６０の第２の周方向区分は、閉鎖エレメント７８のフロント部分８４によって画定される。
【００４０】
図１４ａおよび図１４ｂには、基体７６が拡大された斜視図もしくは側面図で示されている。スリット８０がそれぞれ凹部８６を有していることがわかる。
【００４１】
図１５ａおよび図１５ｂには、閉鎖エレメント７８が拡大された斜視図もしくは側面図で示されている。閉鎖エレメント７８は、上面側および下面側にそれぞれ隆起部８８を有している。調節エレメント２８（図１２参照）の組付け状態で、閉鎖エレメント７８の隆起部８８は、基体７６のスリット８０の凹部８６に係合する。閉鎖エレメント７８は、このようにして基体７６に係止している。
【００４２】
閉鎖エレメント７８のフロント部分８４はこの場合、凹状に形成されている。閉鎖エレメント７８が基体７６内に装着されると、固定手段４２を受容するための孔６０が、スリット８０の閉じられた端部８２とフロント部分８４とによって画定される。閉鎖エレメント７８のフロント部分８４は、図１４ｂに破線で示されている。
【図１】
2021536208.tif 000003
【図２】
2021536208.tif 000004
【図３】
2021536208.tif 000005
【図４】
2021536208.tif 000006
【図５】
2021536208.tif 000007
【図６】
2021536208.tif 000008
【図７】
2021536208.tif 000009
【図８】
2021536208.tif 000010
【図９】
2021536208.tif 000011
【図１０】
2021536208.tif 000012
【図１１】
2021536208.tif 000013
【図１２】
2021536208.tif 000014
【図１３】
2021536208.tif 000015
【図１４ａ】
2021536208.tif 000016
【図１４ｂ】
2021536208.tif 000017
【図１５ａ】
2021536208.tif 000018
【図１５ｂ】
2021536208.tif 000019
【国際調査報告】
2021536208.tif 000020
2021536208.tif 000021
2021536208.tif 000022
2021536208.tif 000023
2021536208.tif 000024
2021536208.tif 000025